(57)【要約】      （修正有）【課題】簡易な構成で、効果的な販促を行うことができる商品の販促用表示具であって、特に、商品展示用平台上で陳列される本などの商品のＰＯＰ広告として利用することに適した販促用表示具を提供する。【解決手段】一対の第一の折線３に沿って支持体２の両端側をそれぞれ背面側に向けて折り曲げると共に、前記支持体の両端が対向するように前記第一の折線同士に挟まれる第一の中間部分を前記支持体の表面側に向けてアーチ状に湾曲させ、前記折り曲げた前記両端側の表面側が商品展示用平台に当接するように前記支持体を当該商品展示用平台の上に搭載し、前記第一の折線部で折り曲げられている前記両端側の背面側と、前記アーチ状に湾曲した前記支持体の第一の中間部分の背面側とで囲まれる空間部を商品が陳列・展示される商品陳列・展示空間部とし、前記第一の折線部で折り曲げられている前記一対の両端側の背面側を商品載置部４とすることを特徴とする販促用表示具。【選択図】図１
0003175043.tif 000002
【実用新案登録請求の範囲】
【請求項１】
可撓性を有していて長手方向に伸びる支持体からなる販促用表示具であって、
前記支持体の前記長手方向における両端側にそれぞれ形成されていて前記長手方向に直交する方向に伸びる一対の第一の折線に沿って前記支持体の両端側をそれぞれ背面側に向けて折り曲げると共に、前記支持体の両端が対向するように前記支持体の前記第一の折線同士に挟まれる第一の中間部分を前記支持体の表面側に向けて凸湾させてアーチ状に湾曲させ、
前記折り曲げた前記支持体の一対の前記両端側の表面側が商品展示用平台に当接するように前記支持体を当該商品展示用平台の上に搭載し、
前記第一の折線部で折り曲げられている前記支持体の一対の前記両端側の背面側と、前記アーチ状に湾曲した前記支持体の第一の中間部分の背面側とで囲まれる空間部を前記商品展示用平台に陳列・展示される商品が陳列・展示される商品陳列・展示空間部とし、
前記第一の折線部で折り曲げられている前記支持体の一対の前記両端側の背面側を前記商品の載置部とする
ことを特徴とする販促用表示具。
【請求項２】
前記第一の折線部で折り曲げられている前記支持体の前記両端側の一方には係止突片が形成され、他方には、当該係止突片が挿脱される係止スリットが形成されていて、
前記支持体の両端側がそれぞれ背面側に向けて前記第一の折線に沿って折り曲げられ、前記支持体の両端が対向する際に、前記係止突片が前記係止スリットに挿入される
ことを特徴とする請求項１記載の販促用表示具。
【請求項３】
前記支持体の表面側に向けて凸湾してアーチ状に湾曲している前記第一の中間部分の表面側が前記商品を紹介・宣伝・広告する広告表示部になっている
ことを特徴とする請求項１又は２記載の販促用表示具。
【請求項４】
前記商品を紹介・宣伝・広告する広告表示片が、前記広告表示部の側縁から少なくとも一つ延出している
ことを特徴とする請求項３記載の販促用表示具。
【請求項５】
前記第一の中間部分に、前記長手方向に所定の間隔を空けて、一対のスリットが形成されており、前記商品陳列・展示空間部を横断する表示片の両端に備えられている表示片係止突片が当該一対のスリットに挿入されて、当該表示片が、前記一対のスリットの間に架け渡されることを特徴とする請求項１乃至３のいずれか一項記載の販促用表示具。
【請求項６】
前記表示片の表面側が前記商品を紹介・宣伝・広告する広告表示部になっている
ことを特徴とする請求項５記載の販促用表示具。
【請求項７】
可撓性を有していて長手方向に伸びる支持体からなる販促用表示具であって、
前記支持体の前記長手方向における両端側にそれぞれ形成されていて前記長手方向に直交する方向に伸びる一対の第一の折線に沿って前記支持体の両端側をそれぞれ背面側に向けて折り曲げると共に、前記支持体の前記第一の折線同士に挟まれる第一の中間部分において前記長手方向に直交する方向に伸びる一対の第二の折線に沿って前記支持体の両端側をそれぞれ背面側に向けて折り曲げ、
前記折り曲げた前記支持体の一対の前記両端側の表面側が商品展示用平台に当接するように前記支持体を当該商品展示用平台の上に搭載し、
前記第一の折線部で折り曲げられている前記支持体の一対の前記両端側の背面側と、前記第一の中間部分の背面側と、前記第一の中間部分における前記一対の第二の折線同士に挟まれる第二の中間部分の背面側とで囲まれる空間部を前記商品展示用平台に陳列・展示される商品が陳列・展示される商品陳列・展示空間部とし、
前記第一の折線部で折り曲げられている前記支持体の一対の前記両端側の背面側を前記商品の載置部とする
ことを特徴とする販促用表示具。
【請求項８】
前記第一の折線部で折り曲げられている前記支持体の前記両端側の一方には係止突片が形成され、他方には、当該係止突片が挿脱される係止スリットが形成されていて、
前記支持体の両端側がそれぞれ背面側に向けて前記第一の折線に沿って折り曲げられ、前記支持体の両端が対向する際に、前記係止突片が前記係止スリットに挿入される
ことを特徴とする請求項７記載の販促用表示具。
【請求項９】
前記商品を紹介・宣伝・広告する広告表示片が、前記第二の中間部分の側縁から少なくとも一つ延出している
ことを特徴とする請求項７又は８記載の販促用表示具。
【考案の詳細な説明】
【技術分野】
【０００１】
この考案は、商品の販促用の表示具であって、簡易な構成で商品の販促をすることができる販促用表示具に関し、特に、商品展示用平台上で陳列される本などの商品のＰＯＰ広告として利用することに適した販促用表示具に関する。
【背景技術】
【０００２】
商品を販売する際に、販促用の表示具を商品に付随させて購買者に当該商品の購入を促進することは従来から行われており、そのような販促用の表示具も種々知られている。
【０００３】
例えば特許文献１には、商品を複数個まとめて展示して販売するための商品展示箱について記載されている。
【０００４】
また、特許文献２には、書籍の陳列形態に対応できる書籍販促用の表示器具について記載されている。
【先行技術文献】
【特許文献】
【０００５】
【特許文献１】特開２００５−６６０８４号公報
【特許文献２】実用新案登録第３１５９６０８号公報
【考案の開示】
【考案が解決しようとする課題】
【０００６】
上記特許文献に記載された発明及び考案はいずれも販促効果を高める効果が期待されるが、特許文献1に記載のような箱型の形態のものは、やや複雑な構成のため製造コスト増が懸念され、また広い設置スペースが必要になる。
【０００７】
特許文献２に記載のような表示器具の場合、設置形態によっては、購入者が商品を手に取る時などに当該表示器具の設置状態を維持できなくなることがあり、十分な販促効果が期待できないおそれもある。
【０００８】
そこで、本考案は、簡易な構成で、購入者が商品を手に取りやすい位置に設置することができ、かつ効果的な販促を行うことができる商品の販促用表示具であって、特に、商品展示用平台上で陳列される本などの商品のＰＯＰ広告として利用することに適した販促用表示具を提供することを目的にしている。
【課題を解決するための手段】
【０００９】
上記課題を解決するため、以下の考案を提案する。
【００１０】
請求項１の考案は、
可撓性を有していて長手方向に伸びる支持体からなる販促用表示具であって、
前記支持体の前記長手方向における両端側にそれぞれ形成されていて前記長手方向に直交する方向に伸びる一対の第一の折線に沿って前記支持体の両端側をそれぞれ背面側に向けて折り曲げると共に、前記支持体の両端が対向するように前記支持体の前記第一の折線同士に挟まれる第一の中間部分を前記支持体の表面側に向けて凸湾させてアーチ状に湾曲させ、
前記折り曲げた前記支持体の一対の前記両端側の表面側が商品展示用平台に当接するように前記支持体を当該商品展示用平台の上に搭載し、
前記第一の折線部で折り曲げられている前記支持体の一対の前記両端側の背面側と、前記アーチ状に湾曲した前記支持体の第一の中間部分の背面側とで囲まれる空間部を前記商品展示用平台に陳列・展示される商品が陳列・展示される商品陳列・展示空間部とし、
前記第一の折線部で折り曲げられている前記支持体の一対の前記両端側の背面側を前記商品の載置部とする
ことを特徴とする販促用表示具である。
【００１１】
請求項２の考案は、
前記第一の折線部で折り曲げられている前記支持体の前記両端側の一方には係止突片が形成され、他方には、当該係止突片が挿脱される係止スリットが形成されていて、
前記支持体の両端側がそれぞれ背面側に向けて前記第一の折線に沿って折り曲げられ、前記支持体の両端が対向する際に、前記係止突片が前記係止スリットに挿入される
ことを特徴とする請求項１記載の販促用表示具である。
【００１２】
請求項３の考案は、
前記支持体の表面側に向けて凸湾してアーチ状に湾曲している前記第一の中間部分の表面側が前記商品を紹介・宣伝・広告する広告表示部になっている
ことを特徴とする請求項１又は２記載の販促用表示具である。
【００１３】
請求項４の考案は、
前記商品を紹介・宣伝・広告する広告表示片が、前記広告表示部の側縁から少なくとも一つ延出している
ことを特徴とする請求項３記載の販促用表示具である。
【００１４】
請求項５の考案は、
前記第一の中間部分に、前記長手方向に所定の間隔を空けて、一対のスリットが形成されており、前記商品陳列・展示空間部を横断する表示片の両端に備えられている表示片係止突片が当該一対のスリットに挿入されて、当該表示片が、前記一対のスリットの間に架け渡されることを特徴とする請求項１乃至３のいずれか一項記載の販促用表示具。
【００１５】
請求項６の考案は、
前記表示片の表面側が前記商品を紹介・宣伝・広告する広告表示部になっている
ことを特徴とする請求項５記載の販促用表示具。
【００１６】
請求項７は、
可撓性を有していて長手方向に伸びる支持体からなる販促用表示具であって、
前記支持体の前記長手方向における両端側にそれぞれ形成されていて前記長手方向に直交する方向に伸びる一対の第一の折線に沿って前記支持体の両端側をそれぞれ背面側に向けて折り曲げると共に、前記支持体の前記第一の折線同士に挟まれる第一の中間部分において前記長手方向に直交する方向に伸びる一対の第二の折線に沿って前記支持体の両端側をそれぞれ背面側に向けて折り曲げ、
前記折り曲げた前記支持体の一対の前記両端側の表面側が商品展示用平台に当接するように前記支持体を当該商品展示用平台の上に搭載し、
前記第一の折線部で折り曲げられている前記支持体の一対の前記両端側の背面側と、前記第一の中間部分の背面側と、前記第一の中間部分における前記一対の第二の折線同士に挟まれる第二の中間部分の背面側とで囲まれる空間部を前記商品展示用平台に陳列・展示される商品が陳列・展示される商品陳列・展示空間部とし、
前記第一の折線部で折り曲げられている前記支持体の一対の前記両端側の背面側を前記商品の載置部とする
ことを特徴とする販促用表示具。
【００１７】
請求項８の考案は、
前記第一の折線部で折り曲げられている前記支持体の前記両端側の一方には係止突片が形成され、他方には、当該係止突片が挿脱される係止スリットが形成されていて、
前記支持体の両端側がそれぞれ背面側に向けて前記第一の折線に沿って折り曲げられ、前記支持体の両端が対向する際に、前記係止突片が前記係止スリットに挿入される
ことを特徴とする請求項７記載の販促用表示具。
【００１８】
請求項９の考案は、
前記商品を紹介・宣伝・広告する広告表示片が、前記第二の中間部分の側縁から少なくとも一つ延出している
ことを特徴とする請求項７又は８記載の販促用表示具。
【考案の効果】
【００１９】
本考案によれば、簡易な構成で、購入者が商品を手に取りやすい位置に設置することができ、かつ効果的な販促を行うことができる商品の販促用表示具であって、特に、商品展示用平台上で陳列される本などの商品のＰＯＰ広告として利用することに適した販促用表示具を提供することができる。
【図面の簡単な説明】
【００２０】
【図１】本考案の第１の実施形態を示す図であって、（ａ）販促用表示具の展開図、（ｂ）販促用表示具を折り曲げる状態を示す図、（ｃ）販促用表示具の完成図。
【図２】本考案の第２の実施形態を示す図であって、（ａ）販促用表示具の展開図、（ｂ）販促用表示具を折り曲げる状態を示す図、（ｃ）販促用表示具の完成図。
【図３】本考案の第１及び第２の実施形態に係る販促用表示具の使用例を示す図であって、（ａ）一種類の書籍を陳列する場合、（ｂ）複数の書籍を並べて陳列する場合。
【図４】本考案の第１及び第２の実施形態に係る販促用表示具の他の使用例を示す図であって、（ａ）一種類の書籍を陳列する場合、（ｂ）複数の書籍を並べて陳列する場合（ｃ）複数の書籍をまとめた状態で陳列する場合。
【図５】本考案の第３の実施形態を示す図であって、（ａ）販促用表示具の完成図、（ｂ）一種類の書籍を陳列する場合の使用例。
【図６】本考案の第４の実施形態を示す図であって、（ａ）販促用表示具の完成図、（ｂ）一種類の書籍を陳列する場合の使用例。
【図７】本考案の第５の実施形態を示す図であって、（ａ）販促用表示具の完成図、（ｂ）一種類の書籍を陳列する場合の使用例。
【図８】本考案の第６の実施形態を示す販促用表示具の完成図。
【考案を実施するための形態】
【００２１】
以下、本考案の実施形態を添付図面に基づいて説明する。
【００２２】
図１は本考案の第１の実施形態を示すものである。ポリプロピレンなどの可撓性を有する熱可塑性樹脂を帯状に成形した支持体２の両端側に、当該両端側を折り曲げるための一対の第一の折線３、３を筋押しなどにより支持体２の長手方向に直交する方向に形成し、販促用表示具１ａを構成した（図１（ａ））。支持体２の両端側に形成された一対の第一の折線３、３で挟まれる支持体２の領域２ａ、２ｂ、２ｃを第一の中間部分とする。
【００２３】
支持体２はポリプロピレン、ポリエチレンテレフタレートなどの汎用性のある熱可塑性樹脂のほか、可撓性を有する素材であれば特に限定はない。
【００２４】
図１（ｂ）図示のように、支持体２の両端側を第一の折線３、３に沿って支持体２の背面側に向けて折り曲げる。ついで、支持体２の両端４ａ、４ａが対向するように、支持体２の第一の中間部分２ｂを支持体２の表面側に向けて凸湾させてアーチ状に湾曲させる。
【００２５】
上記のように支持体２の第一の中央部分２ｂ及び支持体２の両端側を折り曲げた後、図１（ｃ）図示のように、支持体２の両端側の表面側が図示していない本などの商品を陳列する商品展示用平台に当接するように支持体２を当該商品展示用平台の上に搭載する。
【００２６】
このとき、第一の折線３、３で折り曲げられている支持体２の両端側の背面側と、前記アーチ状に湾曲させた支持体２の第一の中間部分２ａ、２ｂ、２ｃの背面側とで囲まれる空間に、前記商品展示用平台に本などの商品を陳列・展示する商品陳列・表示空間部５が形成される。
【００２７】
また、第一の折線３、３で折り曲げられている支持体２の両端側の背面側に前記商品を載置する商品載置部４、４が形成される。
【００２８】
そこで、支持体２の両端側を第一の折線３、３に沿って支持体２の背面側に向けて折り曲げ、ついで、支持体２の両端４ａ、４ａが対向するように、支持体２の第一の中間部分２ｂを支持体２の表面側に向けて凸湾させてアーチ状に湾曲させて、支持体２の両端側の表面側が商品展示用平台に当接するように支持体２を当該商品展示用平台の上に搭載すれば、商品載置部４、４に書籍などの商品を載置して、商品陳列・表示空間部５に当該商品を陳列・表示することが可能な販促用表示具１ａが完成する。
【００２９】
支持体２の長さは書籍などの商品の寸法によって適宜変更することができるので、図３（ｂ）図示のように例えば書籍８ｂ、８ｃ、８ｄ３種分を商品陳列・表示空間部５に陳列・表示することもできる。
【００３０】
さらに、図４（ｂ）図示のように、支持体２の第一の中央部分２ａ、２ｂ、２ｃの表面側に書籍などの商品を紹介・宣伝・広告するための広告表示部９を形成すれば、購入者に書籍などの商品を強くアピールすることができ、十分な販促効果が期待できる。
【００３１】
このように、販促用表示具１ａは商品展示用平台上で陳列・表示される書籍などの商品のＰＯＰ広告として利用する広告媒体ツールであり、当該商品の底部から延びる支持体２の第一の中央部分２ａ及び２ｃが脚部となって立ち上がり、当該商品よりも上方で広告表示部９が展開するＰＯＰツールである。
【００３２】
特に、商品の両側に立ち上がる脚部としての第一の中央部分２ａから２ｃまでの幅いっぱいに書籍などの商品を陳列・表示することが可能である。
【００３３】
また、陳列・表示する商品の上方真上にＰＯＰ面である広告表示部９が展開されるので、販促用表示具１ａと商品とが一体化して陳列・表示される。
【００３４】
また、陳列・表示される商品を購入者が手に取っても商品陳列・表示空間部５に当該商品の陳列・表示状態が維持されるので、販促用表示具１ａの設置位置が変わらず、販促用表示具１ａの管理が容易となる。
【００３５】
さらに、広告表示部９としての第一の中央部分２ｂと脚部としての第一の中央部分２ａ及び２ｃとが連続した状態で支持体２に形成されている販促用表示具１ａであるので、折り曲げ、湾曲、立体などさまざまな形状に変化させることが可能であり、従来の平面ＰＯＰと比較して訴求効果が増大する。
【００３６】
また、販促用表示具１ａは折畳み式であるので、重量物の商品と同梱が可能であり、販促用表示具１ａの展示も容易である。
【００３７】
図２は本考案の第２の実施形態を示すものである。前記実施形態と同一の構成のものには同一の符号を付し、その説明を省略する。
【００３８】
図２（ａ）図示のように、第２の実施形態に係る販促用表示具１ｂを構成する支持体２の両端側の一方には、係止突片６が形成され、他方には係止突片６が挿脱される係止スリット７が形成されている。
【００３９】
図２（ｂ）図示のように、支持体２の両端側を第一の折線３、３に沿って支持体２の背面側に向けて折り曲げる。ついで、支持体２の両端４ａ、４ａが対向するように、支持体２の第一の中間部分２ｂを支持体２の表面側に向けて凸湾させてアーチ状に湾曲させる。
【００４０】
上記のように支持体２の中央部分２ｂ及び支持体２の両端側を折り曲げた後、係止突片６を係止スリット７に挿入して係止して、図２（ｃ）図示のように、支持体２の両端側の表面側が図示していない本などの商品を陳列する商品展示用平台に当接するように支持体２を当該商品展示用平台の上に搭載する。
【００４１】
このとき、第一の折線３、３で折り曲げられている支持体２の両端側の背面側と、前記アーチ状に湾曲させた支持体２の第一の中間部分２ａ、２ｂ、２ｃの背面側とで囲まれる空間に、前記商品展示用平台に本などの商品を陳列・展示する商品陳列・表示空間部５が形成される。
【００４２】
また、第一の折線３、３で折り曲げられている支持体２の両端側の背面側に前記商品を載置する商品載置部４、４が形成される。
【００４３】
そこで、支持体２の両端側を第一の折線３、３に沿って支持体２の背面側に向けて折り曲げ、ついで、支持体２の両端４ａ、４ａが対向するように、支持体２の第一の中間部分２ｂを支持体２の表面側に向けて凸湾させてアーチ状に湾曲させた後、係止突片６を係止スリット７に挿入して係止して支持体２の両端側の表面側が商品展示用平台に当接するように支持体２を当該商品展示用平台の上に搭載すれば、商品載置部４、４に書籍などの商品を載置して、商品陳列・表示空間部５に当該商品を陳列・表示することが可能な販促用表示具１ｂが完成する（図３（ａ））。
【００４４】
前記第一の実施形態と同様に、図４（ａ）図示のように、販促用表示具１ｂの第一の中央部分２ｂに書籍などの商品を紹介・宣伝・広告するための広告表示部９を形成すれば、購入者に書籍などの商品を強くアピールすることができ、十分な販促効果が期待できる。
【００４５】
このように、販促用表示具１ｂは商品展示用平台上で陳列・表示される書籍などの商品のＰＯＰ広告として利用する広告媒体ツールであり、当該商品の底部から延びる支持体２の第一の中央部分２ａ及び２ｃが脚部となって立ち上がり、当該商品よりも上方で広告表示部９が展開するＰＯＰツールである。
【００４６】
特に、商品の両側に立ち上がる脚部としての第一の中央部分２ａから２ｃまでの幅いっぱいに書籍などの商品を陳列・表示することが可能である。
【００４７】
また、陳列・表示する商品の上方真上にＰＯＰ面である広告表示部９が展開されるので、販促用表示具１ｂと商品とが一体化して陳列・表示される。
【００４８】
また、陳列・表示される商品を購入者が手に取っても商品陳列・表示空間部５に当該商品の陳列・表示状態が維持されるので、販促用表示具１ｂの設置位置が変わらず、販促用表示具１ｂの管理が容易となる。
【００４９】
さらに、広告表示部９としての第一の中央部分２ｂと脚部としての第一の中央部分２ａ及び２ｃとが連続した状態で支持体２に形成されている販促用表示具１ａであるので、折り曲げ、湾曲、立体などさまざまな形状に変化させることが可能であり、従来の平面ＰＯＰと比較して訴求効果が増大する。
【００５０】
また、販促用表示具１ｂは折畳み式であるので、重量物の商品と同梱が可能であり、販促用表示具１ｂの展示も容易である。
【００５１】
図４（ｃ）は販促用表示具１ａ、１ｂを組み合わせて設置した状態を示すものである。図４（ｃ）図示のように多数の書籍などが陳列されていても、販促用表示具１ａ、１ｂの組み立てが簡易なので、販促効果を高めたい書籍に対応して販促用表示具１ａ、１ｂを設置することができる。
【００５２】
図５は本考案の第３の実施形態を示すものである。前記実施形態と同一の構成のものには同一の符号を付し、その説明を省略する。
【００５３】
図５（ａ）図示のように、第３の実施形態に係る販促用表示具１ｃを構成する支持体２の両端側に、当該両端側を折り曲げるための一対の第一の折線３、３が筋押しなどにより支持体２の長手方向に直交する方向に形成されている。
【００５４】
支持体２の両端側に形成された一対の第一の折線３、３で挟まれる支持体２の領域２ａ、２ｂ、２ｃを第一の中間部分とする。当該第一の中間部分２ｂにおいて、支持体２の両端側を折り曲げるための一対の第二の折線３ａ、３ａが筋押しなどにより支持体２の長手方向に直交する方向に形成されている。
【００５５】
支持体２の第一の中間部分２ｂに形成された一対の第二の折線３ａ、３ａで挟まれる支持体２の領域１２ｂを第二の中間部分とする。
【００５６】
図５（ａ）図示のように、支持体２の両端側を第一の折線３、３及び第二の折線３ａ、３ａに沿って支持体２の背面側に向けて折り曲げる。
【００５７】
上記のように支持体２の両端側を折り曲げた後、係止突片６を係止スリット７に挿入して係止して、図５（ｂ）図示のように、支持体２の両端側の表面側が図示していない本などの商品を陳列する商品展示用平台に当接するように支持体２を当該商品展示用平台の上に搭載する。
【００５８】
このとき、第一の折線３、３で折り曲げられている支持体２の両端側の背面側と、第一の折線３と第二の折線３ａで挟まれる支持体２の第一の中間部分２ａ及び２ｃの背面側と、第二の折線３ａ、３ａで折り曲げられている支持体２の第二の中間部分１２ｂの背面側とで囲まれる空間に、前記商品展示用平台に本などの商品を陳列・展示する商品陳列・表示空間部５が形成される。
【００５９】
また、第一の折線３、３で折り曲げられている支持体２の両端側の背面側に前記商品を載置する商品載置部４、４が形成される。
【００６０】
そこで、支持体２の両端側を第一の折線３、３及び第二の折線３ａ、３ａに沿って支持体２の背面側に向けて折り曲げ、ついで、係止突片６を係止スリット７に挿入して係止して第一の折線３、３で折り曲げられている支持体２の両端側の表面側が商品展示用平台に当接するように支持体２を当該商品展示用平台の上に搭載すれば、商品載置部４、４に書籍などの商品を載置して、商品陳列・表示空間部５に当該商品を陳列・表示することが可能な販促用表示具１ｃが完成する（図５（ｂ））。
【００６１】
本実施形態では、図５図示のように、支持体２の第二の中央部分１２ｂの両側縁からそれぞれ書籍などの商品を紹介・宣伝・広告する広告表示片１０ａ、１０ｂを延出させてある。広告表示片１０ａ、１０ｂを支持体２の第二の中央部分１２ｂの両側縁から延出させることにより、購入者に書籍などの商品を強くアピールすることができ、十分な販促効果が期待できる。
【００６２】
なお、支持体２はポリプロピレン、ポリエチレンテレフタレートなどの汎用性のある熱可塑性樹脂を帯状にしたものであるから、図６図示のように第一の中央部分２ａ、２ｃ、第二の中央部分１２ｂの形状、広告表示片１０ａ、１０ｂの形状や延出位置を適宜変更した第４の実施形態に係る販促用表示具１ｄとすることもできる。
【００６３】
このように、第３及び第４の実施形態に係る販促用表示具１ｃ、１ｄは商品展示用平台上で陳列・表示される書籍などの商品のＰＯＰ広告として利用する広告媒体ツールであり、当該商品の底部から延びる支持体２の第一の中央部分２ａ及び２ｃが脚部となって立ち上がり、当該商品よりも上方で広告表示片１０ａ、１０ｂが展開するＰＯＰツールである。
【００６４】
特に、商品の両側に立ち上がる脚部としての第一の中央部分２ａから２ｃまでの幅いっぱいに書籍などの商品を陳列・表示することが可能である。
【００６５】
また、陳列・表示する商品の上方真上にＰＯＰ面である広告表示片１０ａ、１０ｂが展開されるので、販促用表示具１ｃ、１ｄと商品とが一体化して陳列・表示される。
【００６６】
また、陳列・表示される商品を購入者が手に取っても商品陳列・表示空間部５に当該商品の陳列・表示状態が維持されるので、販促用表示具１ｃ、１ｄの設置位置が変わらず、販促用表示具１ｃ、１ｄの管理が容易となる。
【００６７】
さらに、広告表示片１０ａ、１０ｂと支持体２の第二の中央部分１２ｂと脚部としての第一の中央部分２ａ及び２ｃとが連続した状態で支持体２に形成されている販促用表示具１ｃ、１ｄであるので、折り曲げ、湾曲、立体などさまざまな形状に変化させることが可能であり、従来の平面ＰＯＰと比較して訴求効果が増大する。
【００６８】
また、販促用表示具１ｃ、１ｄは折畳み式であるので、重量物の商品と同梱が可能であり、販促用表示具１ｃ、１ｄの展示も容易である。
【００６９】
なお、図示していないが、図１〜図４図示の実施形態１、２において、図５、６図示の実施形態３、４における広告表示片１０ａ、１０ｂを支持体２の第一の中央部分２ｂの側縁から延出させる構成とすることもできる。
【００７０】
図７は本考案の第５の実施形態を示すものである。前記実施形態と同一の構成のものには同一の符号を付し、その説明を省略する。
【００７１】
図７（ａ）図示のように、第５の実施形態に係る販促用表示具１ｅを構成する支持体２の第一の中央部分２ａ、２ｂ、２ｃに、支持体２の長手方向に所定の間隔を空けて、一対のスリット７ａ、７ｂが形成されている。
【００７２】
図７（ｂ）図示のように、支持体２の両端側を第一の折線３、３に沿って支持体２の背面側に向けて折り曲げる。ついで、支持体２の両端４ａ、４ａが対向するように、支持体２の第一の中間部分２ｂを支持体２の表面側に向けて凸湾させてアーチ状に湾曲させる。
【００７３】
上記のように支持体２の両端側を折り曲げた後、図７（ｂ）図示のように、支持体２の両端側の表面側が図示していない本などの商品を陳列する商品展示用平台に当接するように支持体２を当該商品展示用平台の上に搭載する。
【００７４】
このとき、第一の折線３、３で折り曲げられている支持体２の両端側の背面側と、前記アーチ状に湾曲させた支持体２の第一の中間部分２ａ、２ｂ、２ｃの背面側とで囲まれる空間に、前記商品展示用平台に本などの商品を陳列・展示する商品陳列・表示空間部５が形成される。
【００７５】
また、第一の折線３、３で折り曲げられている支持体２の両端側の背面側に前記商品を載置する商品載置部４が形成される。
【００７６】
本実施形態では、商品陳列・表示空間部５を横断する表示片９ａを備えており、表示片９ａの両端には、支持体２の第一の中央部分２ａ、２ｂ、２ｃに形成されているスリット７ａ、７ｂに挿脱する表示片係止突片９ｂ、９ｃが形成されている。
【００７７】
図７図示のように、表示片９ｂ、９ｃをスリット７ａ、７ｂに挿入して係止し、表示片９ａを一対のスリット７ａ、７ｂ間に架け渡すように取り付ける。本実施形態では、支持体２の第一の中間部分２ｂを支持体２の表面側に向けて凸湾させてアーチ状に湾曲させるのと同様に、表示片９ａを表示片９ａの表面側に向けて凸湾させてアーチ状に湾曲させながら一対のスリット７ａ、７ｂ間に取り付けた販促用表示具１ｅとした。
【００７８】
また、前記実施形態と同様に、販促用表示具１ｅの第一の中央部分２ｂ、表示片９ａの表面側に書籍などの商品を紹介・宣伝・広告するための広告表示部を形成すれば、購入者に書籍などの商品を強くアピールすることができ、十分な販促効果が期待できる。
【００７９】
なお、支持体２はポリプロピレン、ポリエチレンテレフタレートなどの汎用性のある熱可塑性樹脂を帯状にしたものであるから適宜寸法等を変更して、図８図示のように商品載置部４と並行に表示片９ａを一対のスリット７ａ、７ｂ間に架け渡すように取り付けた第６の実施形態に係る販促用表示具１ｆとすることもできる。
【００８０】
このように、第５及び第６の実施形態に係る販促用表示具１ｅ、１ｆは商品展示用平台上で陳列・表示される書籍などの商品のＰＯＰ広告として利用する広告媒体ツールであり、当該商品の底部から延びる支持体２の第一の中央部分２ａ及び２ｃが脚部となって立ち上がり、当該商品よりも上方で表示片９ａ、広告表示部９が形成された第一の中央部分２ｂが展開するＰＯＰツールである。
【００８１】
特に、商品の両側に立ち上がる脚部としての第一の中央部分２ａから２ｃまでの幅いっぱいに書籍などの商品を陳列・表示することが可能である。
【００８２】
また、陳列・表示する商品の上方真上にＰＯＰ面である表示片９ａ、広告表示部９が展開されるので、販促用表示具１ｅ、１ｆと商品とが一体化して陳列・表示される。
【００８３】
また、陳列・表示される商品を購入者が手に取っても商品陳列・表示空間部５に当該商品の陳列・表示状態が維持されるので、販促用表示具１ｅ、１ｆの設置位置が変わらず、販促用表示具１ｅ、１ｆの管理が容易となる。
【００８４】
さらに、広告表示部９としての第一の中央部分２ｂと脚部としての第一の中央部分２ａ及び２ｃとが連続した状態で支持体２に形成されている販促用表示具１ｅ、１ｆであるので、折り曲げ、湾曲、立体などさまざまな形状に変化させることが可能であり、従来の平面ＰＯＰと比較して訴求効果が増大する。
【００８５】
また、販促用表示具１ｅ、１ｆは折畳み式であるので、重量物の商品と同梱が可能であり、販促用表示具１ｅ、１ｆの展示も容易である。
【００８６】
以上、添付図面を参照して本考案の好ましい実施形態を説明したが、本考案はかかる実施形態に限定されるものではなく、実用新案登録請求の範囲の記載から把握される技術的範囲において種々に変更可能である。
【符号の説明】
【００８７】
１ａ〜１ｆ  販促用表示具
２  支持体
２ａ〜２ｃ  第一の中間部分
３  第一の折線
３ａ  第二の折線
４  商品載置部
５  商品陳列・展示空間部
６  係止突片
７  係止スリット
７ａ、7ｂ  スリット
８ａ〜８ｄ  書籍
９  広告表示部
９ａ  表示片
９ｂ、9ｃ  表示片係止突片
１０ａ、１０ｂ  広告表示片
１２ｂ  第二の中間部分
【図１】
0003175043.tif 000003
【図２】
0003175043.tif 000004
【図３】
0003175043.tif 000005
【図４】
0003175043.tif 000006
【図５】
0003175043.tif 000007
【図６】
0003175043.tif 000008
【図７】
0003175043.tif 000009
【図８】
0003175043.tif 000010